(57)【要約】【課題】専用の管理用の配線を敷設することなく、電力線搬送通信を利用することで安価で容易に設置可能なホームセキュリティシステムを提供する。【解決手段】電力線搬送通信手段２と外部ネットワーク４とを接続する中継装置３と、外部ネットワーク４及び前記中継装置３を介し、電力線搬送通信手段２とが送受信可能な制御端末５とを備え、電力線搬送通信手段２は、電力線６に接続される親機７と、機器１８、１９及び電力線６に接続された子機８、９を備え、親機７は、子機８、９からの監視信号を外部ネットワーク４を介して制御端末５に送信するとともに、制御端末５から外部ネットワーク４を介して受信した制御信号を電力線６に伝送する信号処理手段１１を備えたことにより、機器１８、１９の監視及び制御に電力線搬送通信手段２を用いているため、ホームセキュリティシステムを安価で容易に設置することが可能である。【選択図】  図１
2008295020.tif 000002
【特許請求の範囲】
【請求項１】
電力線に監視信号及び制御信号を伝送し、前記電力線に接続された機器の監視及び制御を行う電力線搬送通信手段と、
前記電力線搬送通信手段と外部ネットワークとを接続する中継装置と、
前記外部ネットワーク及び前記中継装置を介し、前記電力線搬送通信手段と前記監視信号及び前記制御信号が送受信可能な制御端末とを備え、
前記電力線搬送通信手段は、前記電力線に接続される親機と、
前記機器及び前記電力線に接続され、前記機器の動作を監視する監視手段及び前記機器を制御する制御手段を備えた子機を備え、
前記親機は、前記子機からの前記監視信号を前記外部ネットワークを介して前記制御端末に送信するとともに、前記制御端末から前記外部ネットワークを介して受信した前記制御信号を前記電力線に伝送する信号処理手段を備えたことを特徴とするホームセキュリティシステム。
【請求項２】
前記信号処理手段は、前記監視信号に基づき電子メールを作成する電子メール作成手段を備えたことを特徴とする請求項１記載のホームセキュリティシステム。
【請求項３】
前記電子メール作成手段は、予め登録されている定型文に従って、前記電子メールを作成する定型文作成手段を備えたことを特徴とする請求項２記載のホームセキュリティシステム。
【請求項４】
建物の窓部や扉部等の開口部の状態を検出する検出手段と、
該検出手段からの検出信号を無線信号として送信する無線送信手段とを備えると共に、
前記機器に前記無線信号を受信する無線受信手段を備えたことを特徴とする請求項１〜３のいずれか１項に記載のホームセキュリティシステム。
【請求項５】
請求項１〜４に記載のホームセキュリティシステムにおける制御方法であって、
前記監視手段は、前記子機に接続された前記機器の状態変化を検知した段階で前記検知信号を前記親機に伝送することを特徴とするホームセキュリティシステムの制御方法。
【請求項６】
前記親機は、前記外部ネットワークのサーバーにアクセスすることで前記制御端末から送信された前記制御信号を受信することを特徴とする請求項５記載のホームセキュリティシステムの制御方法。
【発明の詳細な説明】
【技術分野】
【０００１】
本発明は、ホームセキュリティシステムに関する。
【背景技術】
【０００２】
家庭内の各種電気機器を外部から制御できるように構成したホームセキュリティシステムは、従来より多々提案されて知られている（特許文献１）。
【特許文献１】特開平１１−３１２１３１号公報
【発明の開示】
【発明が解決しようとする課題】
【０００３】
しかし、このようなホームセキュリティシステムによって集中管理、遠隔管理又は建物の窓部や扉部等の開口部の監視を行おうとした場合には、家屋等の新築時に、これらの管理用の専用配線を敷設して管理用機器を設置すると共に、設備機器も、これらの管理に対応した、外部制御可能なものを設置する必要があった。
【０００４】
本発明は、上記問題点に鑑み、新たに専用の管理用の配線を敷設することなく、電力線搬送通信を利用することで安価で容易に設置可能なホームセキュリティシステムを提供することを目的とする。
【課題を解決するための手段】
【０００５】
請求項１の発明のホームセキュリティシステムは、電力線に監視信号及び制御信号を伝送し、前記電力線に接続された機器の監視及び制御を行う電力線搬送通信手段と、前記電力線搬送通信手段と外部ネットワークとを接続する中継装置と、前記外部ネットワーク及び前記中継装置を介し、前記電力線搬送通信手段と前記監視信号及び前記制御信号が送受信可能な制御端末とを備え、前記電力線搬送通信手段は、前記電力線に接続される親機と、前記機器及び前記電力線に接続され、前記機器の動作を監視する監視手段及び前記機器を制御する制御手段を備えた子機を備え、前記親機は、前記子機からの前記監視信号を前記外部ネットワークを介して前記制御端末に送信するとともに、前記制御端末から前記外部ネットワークを介して受信した前記制御信号を前記電力線に伝送する信号処理手段を備えたことである。
【０００６】
請求項２の発明のホームセキュリティシステムは、前記信号処理手段は、前記監視信号に基づき電子メールを作成する電子メール作成手段を備えたことである。
【０００７】
請求項３の発明のホームセキュリティシステムは、前記電子メール作成手段は、予め登録されている定型文に従って、前記電子メールを作成する定型文作成手段を備えたことである。
【０００８】
請求項４の発明のホームセキュリティシステムは、建物の窓部や扉部等の開口部の状態を検出する検出手段と、該検出手段からの検出信号を無線信号として送信する無線送信手段とを備えると共に、前記機器に前記無線信号を受信する無線受信手段を備えたことである。
【０００９】
請求項５の発明のホームセキュリティシステムの制御方法は、請求項１〜３に記載のホームセキュリティシステムにおける制御方法であって、前記監視手段は、前記子機に接続された前記機器の状態変化を検知した段階で前記検知信号を前記親機に伝送することである。
【００１０】
請求項６の発明のホームセキュリティシステムの制御方法は、前記親機は、前記外部ネットワークのサーバーにアクセスすることで前記制御端末から送信された前記制御信号を受信することである。
【発明の効果】
【００１１】
請求項１の発明によれば、機器の監視及び制御に電力線搬送通信を用いているため、既存の電力線を配線に利用することが可能なので、安価で容易に設置することが可能である。また、親機に外部ネットワークとのデータ交換を可能とする信号処理手段を備えたことにより、外部ネットワークと通信可能な環境にある施設において、親機と子機を電力線に接続するだけでホームセキュリティシステムが構築されるため、配線の簡略化、設置のさらなる容易化が図れる。
【００１２】
請求項２の発明によれば、制御端末との監視信号及び制御信号の送信及び受信を電子メール方式としたことで、既存のネットワークの通信手段を使用することが可能となり、操作性、汎用性に優れたものとすることが可能となる。
【００１３】
請求項３の発明によれば、制御端末の操作者は、機器の状態変化を定型文で確認することが可能となる。
【００１４】
請求項４の発明によれば、制御端末から建物の窓部の状態が確認できることで、建物への不審者の侵入や窓部や扉部の破壊等の異常を容易に把握することができ、住人が帰宅時に建物に侵入した不審者と鉢合わせる等の危険を回避することができるので、セキュリティシステムの使い勝手が向上する。
【００１５】
請求項５の発明によれば、制御端末にリアルタイムで機器の状態変化を伝えることが可能となる。
【００１６】
請求項６の発明によれば、制御端末からの制御信号が、外部ネットワークを経由して親機に送信され、機器の制御が確実になされることとなる。
【実施例１】
【００１７】
以下、本発明におけるホームセキュリティシステムの一実施例について、添付図面を参照しながら説明する。ホームセキュリティシステムの全体図を表わした図１において、例えばホームセキュリティシステム１は、電力線搬送通信手段２（ＰＬＣ：Power  Line  Communication）と、中継装置に相当するモデム・ルーター３及びハブ３９と、外部ネットワークに相当するインターネット４と、制御端末に相当する携帯電話５から構成される。
【００１８】
電力線搬送通信手段２は、商用交流電源の電力線６と、この電力線６に設けられた複数のコンセントＣにそれぞれプラグＰを介して装着可能な親機７及び複数の子機８、９とから構成される。
【００１９】
図２は、親機７側の構成を示すものであり、同図において、商用交流電源の電力線６には単独の親機７が接続され、親機７は、ＰＬＣ制御回路１０と、信号処理手段に相当するマイコン１１と、電源回路１２と、イーサネット（Ethernet：登録商標）コントローラ１３を備える。
【００２０】
ＰＬＣ制御回路１０は、同期回路１４，結合回路１５，送信回路１６および受信回路１７を備え、マイコン１１により制御するようになっている。また、マイコン１１には、各子機８、９へと接続される各機器１８、１９に対して個々にオン，オフの指令を出す操作指令手段たる図示しない複数のオン，オフスイッチが接続される。送信回路１６はマイコン１１に制御され、結合回路１５を介して電力線６に各機器１８、１９を制御する高周波制御信号を出力する。また受信回路１７は、結合回路１５を介して入力される高周波信号をデジタル信号に変換して、マイコン１１に供給する構成となっている。
【００２１】
電源回路１２は、ＰＬＣ制御回路１０とマイコン１１、イーサネット（Ethernet：登録商標）コントローラ１３に電力線６から電源を供給するように設置されている。
【００２２】
親機７は、各子機８、９の名称及び各子機８、９を特定する固有識別子であるＩＤを管理する図示しないＩＤ管理手段が設けられる。
【００２３】
また、親機７に備えられたイーサネット（Ethernet：登録商標）コントローラ１３と前記ハブ３９は、マイコン１１とモデム・ルーター３との間でデータを送受信するための仲介を行う。
【００２４】
モデム・ルーター３はＤＨＣＰ（Dynamic Host Configuration Protocol）サーバー機能を持ち、マイコン１１はＤＨＣＰクライアント機能を持つ。これらの機能により、親機７はＩＰ（Internet Protocol）アドレスを取得できる。
【００２５】
マイコン１１は、電子メール作成手段に相当するメールソフト（メーラー）２４とインターネットプロバイダーのメールサーバー４４の情報を有する。各子機８、９へと接続される各機器１８、１９への操作内容は、携帯電話５のメールで指示される。携帯電話５から送られた電子メールＥはメールサーバー４４のメールボックス４６に蓄えられる。親機７のマイコン１１は、定期的にメールボックス４６を確認する。電子メールＥが届いていたら、それを受信して、各機器１８、１９への操作内容を知る。操作内容には子機８または子機９を特定する情報としてのＩＤ（シリアルナンバー）と制御方法の情報が記録されており、親機７はそれらの情報をもとに制御信号を作成する。制御信号は、ＰＬＣ制御回路１０及び電力線６を介して、子機８及び子機９に送信される。制御信号を受け取った子機８及び子機９は、自分宛の制御信号か確認する。自分宛の制御信号であれば、制御信号に含まれている制御方法に基づいて接続されている機器１８、１９を制御する。
【００２６】
マイコン１１は、メールサーバー４４の情報や機器１８及び機器１９の情報を入力するための情報入力用サーバー機能を有する。この情報入力用サーバー機能を有する情報入力用サーバー２５には、ＰＣ（パーソナルコンピューター）４１でアクセスする。ＰＣ４１は、信号線４２によってハブ３９と接続されている。ＰＣ４１には情報入力用ソフトがインストールされており、そのソフトで設定した内容がマイコン１１の情報入力用サーバー２５に送信される。図４は、ＰＣ４１のディスプレイ上に表示される情報入力用ソフトの入力画面４３である。情報入力用ソフトには図４以外の入力画面も表示されて、そこではメールサーバー４４の情報や電子メールの件名、メールアドレス、パスワードを入力できる。
【００２７】
図３は、子機８、９側の構成を示すものであり、同図において子機８、９は、電力線６に複数接続され、前記親機７に組み込まれていたものと同一構成の同期回路２７，結合回路２８，送信回路２９および受信回路３０を備えたＰＬＣ制御回路３１を、制御手段に相当するマイコン３２で制御し、ＰＬＣ制御回路３１とマイコン３２に電力線６から電源を供給するように設置された電源回路２３を備えた構成となっている。また、３３は同じ子機８、９に接続される機器１８、１９に対しオン，オフの指令を出す操作指令手段たるオン，オフスイッチ、３４は固有のＩＤ（シリアルナンバー）を設定するためのＩＤ設定器であり、これらはいずれもマイコン３２に接続される。さらに、子機８、９は、従属する機器１８、１９のプラグＰが接続可能なコンセント３５と、電力線６からコンセント３５に至る電源ライン６Ａを導通，遮断するリレー３６とを備え、このリレー３６のオン，オフ動作がマイコン３２により制御される。さらに、子機８、９の電源ライン６Ａを流れる電流値をコンセント３５に接続される電気機器１８、１９の消費電流として検出して、検出値をマイコン３２に供給する監視手段に相当する電流検出部３７を備える。また、前記電流検出部３７より検出される電流値の検出レベルの設定を例えばダイヤル操作によって行う検出レベル設定手段３８を備える。また、子機８、９はＩＤ（シリアルナンバー）、検出レベル等の各種設定情報を記憶する図示しない記憶手段を備える。
【００２８】
機器１８や機器１９の動作状態が変化したときには、子機８や子機９から親機７に向けて監視信号が送信される。監視信号は、ＰＬＣ制御回路３１及び電力線６を介して、親機７に送信される。親機７のマイコン１１のメールソフト２４は、その信号と予め定型文記憶手段２６Ａに記憶された定型文に基づき定型文作成手段２６Ｂにより電子メールＥを作成する。作成された電子メールＥは、マイコン１１からインターネットプロバイダーのメールサーバー４４へ送信される。メールサーバー４４は電子メールＥを携帯電話５の電話会社のメールサーバー４５に配信する。メールサーバー４５は、受け取ったメールを直ちに携帯電話５に送信する。
【００２９】
親機７および子機８、９の各同期回路１４，２７は、いずれも交流電源波形のゼロクロス点を検出して、ゼロクロス検出信号をマイコン１１，３２に出力するものであり、これにより、親機７と子機８、９との通信を同期させるようにしている。
【００３０】
また、親機７と子機８、９では、相互のＰＬＣ制御回路１０、３１により、電力線６間でデータが伝送中であるか確認するための電力線６のアクセス制御方法（キャリアセンス）として、ＣＳＭＡ／ＣＡ（Carrier  Sense  Multiple  Access  with  Collision  Avoidance）を使って確認し、電力線６中に伝送中のデータが無いことを確認した後に、親機７と子機８、９はデータの伝送を行うように構成している。
【００３１】
モデム・ルーター３は、ハブ３９を介して、信号線４０によって親機７と接続され、イーサネット（Ethernet：登録商標）環境を形成している。また、このモデム・ルーター３は、インターネット４に接続されている。
【００３２】
次に、上記構成に付き、その作用を説明する。
【００３３】
先ず、本実施例の電力線搬送通信手段（ＰＬＣ）２では、操作者は子機８、９のＩＤ設定器３４を操作して、各子機８、９毎にＩＤ（シリアルナンバー）を設定する。そして、親機７のマイコン１１に接続されたオン、オフスイッチを操作したり、携帯電話５からのオン、オフ制御信号が親機７に伝送されると、設定されているＩＤ（シリアルナンバー）のアドレスデータと、オンまたはオフを示す制御データが送信回路１６を介してトーンバースト信号としてデータ処理され、このトーンバースト信号が結合回路１５を介して電力線６の交流電源波形に重畳され、子機８、９に搬送される。子機８、９側では、結合回路２８および受信回路３０を介してマイコン３２がデータを読み込み、アドレスデータに該当するＩＤ（シリアルナンバー）の子機８、９に従属する機器１８、１９を、リレー３６の動作によってオン，オフ制御するものである。
【００３４】
次に、電力線搬送通信手段２による機器１８、１９の状態変化を表わす検知信号の送受信について、図５のフローチャートを参照しながら説明する。例えば、機器１８、１９の電源を「オンからオフ」または「オフからオン」したときの機器１８、１９の状態監視信号を通信する場合には、子機８、９に備えられた電流検知部３７がマイコン３２に機器１８、１９の状態変化を通知、マイコン３２は、該当子機８，９のＩＤ（シリアルナンバー）と機器１８、１９の状態をデータ化した監視信号を作成する。そして、キャリアセンスして、電力線６にデータ通信が行われていないことを確認する（ステップＳ１０１）。前記監視信号を電力線６の交流電源波形に重畳して送信する（ステップＳ１０２）。親機７で監視信号を受信する（ステップＳ１０３）。再度、キャリアセンスして、電力線６にデータ通信が行われていないことを確認する（ステップＳ１０４）。親機７は、子機８、９に監視信号を受信したことを表わす応答信号を電力線６の交流電源波形に重畳して子機８、９に送信する（ステップＳ１０５）。該当する子機８、９が受信して（ステップＳ１０６）、電力線搬送通信手段２による機器１８、１９の状態変化を表わす監視信号の送受信は完了する。
【００３５】
ここで、イーサネット（Ethernet：登録商標）の初期設定について図６のフローチャートを参照しながら説明する。親機７は、電力線６に接続されると同時に、ＤＨＣＰクライアント機能が発動し、モデム・ルーター３のＤＨＣＰサーバー機能からプライベートＩＰアドレスを取得する（ステップＳ２０１）。ＰＣ４１の情報入力用ソフトを起動すると、イーサネット（Ethernet：登録商標）に接続された全装置に対してブロードキャスト（同報配信）が行われる。これにより、全装置のプライベートＩＰアドレスを取得する（ステップＳ２０２）。各プライベートＩＰアドレスの装置に対して情報入力用サーバー２５にアクセスできるか試みて、アクセスできる装置が見つかったらその装置を親機７と特定する（ステップＳ２０３）。そして、ＰＣ４１のディスプレイに表示された情報入力用ソフトの入力画面４３を見ながら、各種情報を設定していく（ステップＳ２０４）。
【００３６】
続いて、親機７で受信された機器１８、１９の状態変化を表わす前記監視信号が、イーサネット（Ethernet：登録商標）及びインターネット４を介して、携帯電話５に通知されるまでの流れを図７のフローチャートを参照して説明する。
【００３７】
親機７で受信された監視信号は、メールソフト２４によって、子機８、９のＩＤと機器１８、１９のオン、オフの制御データを定型文に変換され、電子メールＥの本文の欄に入力される。さらに、イーサネット（Ethernet：登録商標）の初期設定時に設定された電子メールＥの件名と、同じく、前記初期設定時に設定された携帯電話５のメールアドレスとともに、メールソフト２４によって電子メールＥとしてデータ化される。そして、電子メールＥは、インターネットプロバイダーのメールサーバー４４に送信される（ステップＳ３０１）。電子メールＥは、プロバイダーのメールサーバー４４で受信（ステップＳ３０２）された後、このプロバイダーのメールサーバー４４から携帯電話５の電話会社のメールサーバー４５に配送される（ステップＳ３０４）。電話会社のメールサーバー４５は、携帯電話５に電子メールＥを配送する（ステップＳ３０５）。そして、携帯電話５が電子メールＥを受信する（ステップＳ３０６）。図８乃至図９に操作者が受信した機器１８、１９の状態変化を示す内容の電子メールＥを示す。図８は、電子メールＥの件名が表示された画面であり、件名で「ＨＭＳ○○自宅通知」とされたところが、初期設定時に情報入力用サーバー２５に入力された電子メールＥの件名である。ここで「○○」に例えば、操作者の名前がくるものとする。
【００３８】
図９は、電子メールＥの本文が表示された画面であり、本文中に「Ｌ照明ＯＮ」とあるが、ここで、「Ｌ」は、各子機８、９のＩＤ(シリアルナンバー)を基に例えば各機器１８、１９毎にＡ〜Ｚのいずれか１文字を割り当てた、初期設定時（図４参照）に設定された各機器１８、１９の固有の名称である。「照明」は、初期設定時（図４参照）にこの名称「Ｌ」のメモに入力されたものであり、この「Ｌ」が具体的にどのような機器であるかを表わしたものであり、このメモ「照明」と名称「Ｌ」とは一対一の関係にあり、例えば全角文字で８文字以内で表わされている。「ＯＮ」は、機器１８、１９の状態を表わしており、この場合、機器１８、１９の状態変化をオフからオンとした場合であり、機器１８、１９の状態変化をオンからオフとした場合には「ＯＦＦ」と表記される。
【００３９】
次に、操作者が携帯電話５から電子メールＥを送信して機器１８、１９を操作する流れを図１０乃至図１３のフローチャートを参照して説明する。
【００４０】
まずは、操作者の携帯電話５の操作の流れを図１０乃至図１２を参照して説明する。携帯電話５のアドレス帳（ステップＳ４０１）から親機７のメールアドレスを選択して、送信先のアドレスに入力し（ステップＳ４０２、４０３）、メール編集画面において件名にパスワード「XXXXX」を入力し（ステップＳ４０４〜４０７）、最後に本文作成（ステップＳ４０８）の際に、機器１８をＯＦＦさせる場合は、本文に機器１８の名称「Ｌ」のみを入力し（ステップＳ４０９、Ｓ４１０）、機器１８をＯＮさせる場合には、本文に機器１８の名称「Ｌ」の後ろに「.（ピリオド）」を入力し（ステップＳ４１１、Ｓ４１２）、電子メールＥを送信する（ステップＳ４１３）。その後、親機７より操作結果が電子メールＥで到着する（ステップＳ４１４）。機器１８がＯＦＦした場合は、親機７からの電子メールＥの本文は「Ｌ照明ＯＦＦ」となり（ステップＳ４１５）、機器１８がＯＮした場合は、親機７からの電子メールEの本文は「Ｌ照明ＯＮ」となる（ステップＳ４１６）。
【００４１】
続いて、操作者が携帯電話５から制御信号として電子メールＥを送信して、電力線搬送通信手段２に接続された機器１８、１９の操作結果が届くまでの流れを図１３を参照して説明する。
【００４２】
まず、前述のステップＳ４０１〜４１２の手順で作成した電子メールＥをインターネットプロバイダーのメールサーバー４４に向けて送信する（ステップＳ５０１）。携帯電話５の電話会社のメールサーバー４５はそれを仲介するので、インターネットプロバイダーのメールサーバー４４へ電子メールＥが配信される（ステップＳ５０２）。電子メールＥは、インターネットプロバイダーのメールサーバー４４のメールボックス４６に収納される（ステップＳ５０３）。親機７は、そのメールボックス４６に電子メールＥが届いているか定期的に確認し続けており、電子メールＥが届いていたら受信する。また、それだけではメールボックス４６に電子メールＥが残ってしまうので、メールボックス４６から電子メールＥを削除する（ステップＳ５０４）。マイコン１１は、電子メールＥに記載されている制御情報を制御信号に変換し、電力線６を介して子機８及び子機９へ送信する（ステップＳ５０５）。子機８または子機９は、制御信号に従って機器１８または機器１９への通電を制御する（ステップＳ５０６）。それに伴って機器１８または機器１９の消費電流が変化すると、それが電流検出部３７で検出される（ステップＳ５０７）。その状態変化が、子機８または子機９によって親機７へ通知される（ステップＳ５０８）。その通知には、監視信号が使われる。親機７のマイコン１１は、その監視信号と定型文記憶手段２６Ａに記憶された定型文をもとに電子メールＥを作成し、その電子メールＥを携帯電話５に向けて送信する（ステップＳ５０９）。インターネットプロバイダーのメールサーバー４４はそれを仲介するので、携帯電話５の電話会社のメールサーバー４５へ電子メールＥが配信される（ステップＳ５１０）。携帯電話５のメールサーバー４５は、電子メールＥを携帯電話５へ直ちに送信する（ステップＳ５１１）。携帯電話５で電子メールＥを受信して（ステップＳ５１２）、操作は完了する。
【００４３】
以上のように上記実施例では請求項１に対応して、電力線６に監視信号及び制御信号を伝送し、前記電力線６に接続された機器１８、１９の監視及び制御を行う電力線搬送通信手段２と、前記電力線搬送通信手段２と外部ネットワーク４とを接続する中継装置３と、前記外部ネットワーク４及び前記中継装置３を介し、前記電力線搬送通信手段２と前記監視信号及び前記制御信号が送受信可能な制御端末５とを備え、前記電力線搬送通信手段２は、前記電力線６に接続される親機７と、前記機器１８、１９及び前記電力線６に接続され、前記機器１８、１９の動作を監視する監視手段３７及び前記機器１８、１９を、制御手段３２と共に制御手段を構成するリレー３６を備えた子機８、９を備え、前記親機７は、前記子機８、９からの前記監視信号を前記外部ネットワーク４経由で前記制御端末５に送信するとともに、前記制御端末５から前記外部ネットワーク４を介して受信した前記制御信号を前記電力線６に伝送する信号処理手段１１を備えたことにより、機器１８、１９の監視及び制御に電力線搬送通信手段２を用いているため、既存の電力線６を配線に利用することが可能なので、安価で容易に設置することが可能である。また、親機７に外部ネットワーク４とのデータ交換を可能とする信号処理手段１１を備えたことにより、外部ネットワーク４と通信可能な環境にある施設において、親機７と子機８、９を電力線６に接続するだけでホームセキュリティシステムが構築されるため、配線の簡略化、設置のさらなる容易化が図れる。
【００４４】
また、上記実施例は請求項２に対応して、前記信号処理手段１１は、前記監視信号に基づき電子メールＥを作成する電子メール作成手段２４を備えたことにより、制御端末５との監視信号及び制御信号の送信及び受信を電子メール方式としたことで、既存のネットワーク４の通信手段を使用することが可能となり、操作性、汎用性に優れたものとすることが可能となる。
【００４５】
さらに、上記実施例は請求項３に対応して、前記電子メール作成手段２４は、予め登録されている定型文に従って、前記電子メールＥを作成する定型文作成手段２６Ｂを備えたことにより、制御端末５の操作者は、機器１８、１９の状態変化を定型文で確認することが可能となる。
【００４６】
また、上記実施例は請求項５に対応して、ホームセキュリティシステム１における制御方法であって、前記監視手段３７は、前記子機８、９に接続された前記機器１８、１９の状態変化を検知した段階で前記検知信号を前記親機７に伝送することにより、制御端末５にリアルタイムで機器１８、１９の状態変化が伝えることが可能となる。
【００４７】
さらに、上記実施例は請求項６に対応して、前記親機７は、前記外部ネットワーク４のサーバー４４にアクセスすることで前記制御端末５から送信された前記制御信号を受信することにより、制御端末５からの制御信号が、外部ネットワーク４を経由して親機７に送信され、機器１８、１９の制御が確実になされることとなる。
【００４８】
続いて、本発明におけるホームセキュリティシステムの第２実施例について、図１４〜１７を参照しながら説明する。なお、前記第１実施例と対応する部分には同一符号を付してその説明を省略する。
【００４９】
本実施例では、前記第１実施例に記載の構成において、子機８、９とは別に電力線６に接続され、図３に示すような子機８、９と同じ構成を有する子機５０には、建物５１の窓部５２に配設された検出手段としての防犯センサー５３、５４からの検出信号が受信可能に構成された受信装置５５が後述する接続ケーブル７０によって接続されている。ここで、防犯センサー５３、５４は窓部５２に限らず、図示しない建物５１の扉部や通気ダクト等の建物５１の開口部に配設してもよいものとする。
【００５０】
図１４に窓部５２の構成の一例を示すが、窓部５２は、建物５０の壁面５６に配設された窓枠５７に一対の引き戸型の窓体５８、５９を備えた構成としている。
【００５１】
窓部５２には、第１の防犯センサーとしてのマグネットセンサー５３（磁石センサー）５３と、第２の防犯センサーとしての歪センサー５４とをそれぞれ備えている。
【００５２】
マグネットセンサー５３としては、窓枠５７周辺の壁面５６に配設されたセンサー本体６０と、窓体５８に配設された磁性部材であるマグネット（永久磁石）６１とを備えている。
【００５３】
図１５にマグネットセンサー５３、歪センサー５４及び受信装置５５の電気的構成の一例を示すが、マグネットセンサー５３のセンサー本体６０には、リードスイッチ６２と制御手段６３と第１の無線送信手段６４とを備えている。
【００５４】
また、歪センサー５４は、歪み検知手段６５と制御手段６６と第２の無線送信手段６７とを備えている。ここで、マグネットセンサー５３及び歪センサー５４の図示しない電源としては、ボタン電池等の各種電池や商用電源等とする。
【００５５】
さらに、受信装置５５は、無線受信手段６８と制御手段６９とを備えている。
【００５６】
ここで、受信装置５５は、この受信装置５５の外郭より直出しによって設けられた例えば４芯ケーブル等の接続ケーブル７０を備えており、この接続ケーブルの先端に設けられた例えば４ピン構造のプラグ等の接続端子７１を、子機５０に設けたジャック等の接続受部（図示せず）へ挿入することにより、受信装置５５と子機５０とを接続可能とする接続構造を有している。
【００５７】
ここで、第１の無線送信手段６４、第２の無線送信手段６７及び無線受信手段６８の通信は、ＩＥＥＥ８０２.１５.４等の通信規格に基づいて実行されるものとしてもよい。
【００５８】
次に上記構成に付き、先ずはマグネットセンサー５３を用いた窓部５２の開閉状態の検出動作について説明する。窓部５２が閉じている状態では、マグネット６１とセンサー本体６０とは近接しているため、センサー本体６０に備えられたリードスイッチ６２では、リードスイッチ６２の検知可能範囲内にあるマグネット６１の磁気を検知して窓部５２が閉じた状態（以下、閉状態と呼称する）を検知している。
【００５９】
窓部５２を開いて、マグネット６１が配設された窓体５８が、センサー本体６０から離れる方向に移動すると、マグネット６１はリードスイッチ６２の検知可能範囲から外れて、窓部５２が開いた状態（以下、開状態と呼称する）を検出する。
【００６０】
センサー本体６０の制御手段６３は、窓部５２の開状態を検出すると、第１の無線送信手段６４を介して開状態検知信号を無線電波で外部に送信する。
【００６１】
続いて、歪センサー５４を用いた窓部５２の状態検出動作について説明する。窓部５２の窓体５９に圧力が掛かると、歪センサー５４は圧力によって生じる窓部５２の歪み（変形）を歪み検知手段６５で検出する。歪センサー５４の制御手段６９は、窓部５２の歪みを検出すると、第２の無線送信手段６７を介して歪み検知信号を無線電波で外部に送信する。
【００６２】
ここで、受信装置５５側の制御手段６９では、無線受信手段６８を介して受信したマグネットセンサー５３からの開状態検出信号や歪センサー５４からの歪み検出信号を子機５０側に接続ケーブル７０を介して送信する。子機５０により、監視信号としての開状態検出信号又は歪み検出信号を電力線６の交流電源波形に重畳して親機７に送信する。
【００６３】
続いて、親機７で受信された窓部５２の状態変化を表わす監視信号が、イーサネット（Ethernet：登録商標）及びインターネット４を介して、携帯電話５に通知されるまでの流れを図７のフローチャートを参照して説明する。
【００６４】
親機７で受信された監視信号は、メールソフト２４によって、子機５０のＩＤと窓部５２の開状態を検出した旨の「侵入者有り」や窓部５２に歪みが生じ窓部５２の異常を検出した旨の「異常有り」等の定型文記憶手段２６Ａに予め記憶された定型文に変換され、電子メールＥの本文の欄に入力される。さらに、イーサネット（Ethernet：登録商標）の初期設定時に設定された電子メールＥの件名と、同じく、前記初期設定時に設定された携帯電話５のメールアドレスとともに、メールソフト２４によって電子メールＥとしてデータ化される。そして、電子メールＥは、インターネットプロバイダーのメールサーバー４４に送信される（ステップＳ３０１）。電子メールＥは、プロバイダーのメールサーバー４４で受信（ステップＳ３０２）された後、このプロバイダーのメールサーバー４４から携帯電話５の電話会社のメールサーバー４５に配送される（ステップＳ３０４）。電話会社のメールサーバー４５は、携帯電話５に電子メールＥを配送する（ステップＳ３０５）。そして、携帯電話５が電子メールＥを受信する（ステップＳ３０６）。
【００６５】
図１６は、電子メールＥの本文が表示された画面の一例であり、本文中に「Ｗ窓部侵入者有り」とあるが、ここで、「Ｗ」は、子機５０のＩＤ(シリアルナンバー)を基に例えば各機器１８、１９、５５毎にＡ〜Ｚのいずれか１文字を割り当てた、初期設定時（図１７参照）に設定された機器５５の固有の名称である。「窓部」は、初期設定時（図１７参照）にこの名称「Ｗ」のメモに入力されたものであり、この「Ｗ」が具体的にどのような機器であるかを表わしたものであり、このメモ「窓部」と名称「Ｗ」とは一対一の関係にあり、例えば全角文字で８文字以内で表わされている。「侵入者有り」は、窓部５２の状態を表わした定型文である。
【００６６】
第１の無線送信手段、第２の無線送信手段及び無線受信手段は、ＩＥＥＥ８０２.１５.４等の通信規格に基づいて実行することにより、省電力で低コストな無線通信が可能となる。
【００６７】
以上のように本実施例では請求項４に対応して、建物５１の窓部５２や扉部等の開口部の状態を検出する検出手段たるマグネットセンサー５３及び歪センサー５４と、マグネットセンサー５３及び歪センサー５４からの検出信号たる開状態検出信号又は歪み検出信号を無線信号たる無線電波として送信する無線送信手段たる第１の無線送信手段６４及び第２の無線送信手段６７とを備えると共に、前記機器たる受信装置５５に無線電波を受信する無線受信手段６８を備えたものである。この場合、制御端末たる携帯電話５から建物５１の窓部５２の状態が確認できることで、建物５１への不審者の侵入や窓部５２の破壊等の異常を容易に把握することができ、住人が帰宅時に建物５１に侵入した不審者と鉢合わせる等の危険を回避することができるので、セキュリティシステムの使い勝手が向上する。
【００６８】
図１８及び図１９に本発明のホームセキュリティシステムの変形実施形態を示すが、第１実施例において記載されたホームセキュリティシステムにおいて、赤外線受信手段（図示せず）を備えた各種電子機器８０、８１、８２の識別情報を記憶する識別情報記憶手段８３と、この識別情報記憶手段８３に記憶された識別情報を基に各種電子機器８０、８１、８２の例えばオン、オフ等を行う制御手段８４と、制御手段８４からの制御信号を赤外線として外部に送信可能な赤外線送信手段８５とを備えた赤外線通信式のリモコン８６を、ＰＬＣ２の子機８７に接続したものである。また別の子機８８には、ストーブ等の電気式暖房機器としての電子機器８９がプラグＰによって接続されている。子機８７、８８は、子機８、９、５０と同じ構成を有しており（図３参照）、上記の構成以外については、第１実施例と同じであるので重複する内容についての詳細な説明は省略する。
【００６９】
ここで、図１８には各種電子機器としてテレビ８０、電灯８１、エアコン８２を例示しているが、リモコン８６によって例えばオン、オフ制御される電子機器は、これに限定されるものではない。またリモコン８６は、このリモコン８６の外郭より直出しによって設けられた例えば４芯ケーブル等の接続ケーブル９０を備えており、この接続ケーブル８８の先端に設けられた例えば４ピン構造のプラグ等の接続端子９１を、子機８７に設けたジャック等の接続受部（図示せず）へ挿入することにより、リモコン８６と子機８７とを接続可能とする接続構造を有したものである。
【００７０】
本発明の別の変形実施形態を図２０に示すが、第２実施例に記載されたホームセキュリティシステムにおいて、建物５１内の天井等に配設され、ＣＭＯＳ画像センサー{又は、ＣＭＯＳイメージセンサー（シーモスイメージセンサー）}及び人感センサー（ともに図示せず）を有する機器たる高速カメラ等のカメラ装置１００を、ＰＬＣ２の子機１０１に接続し、カメラ装置１００が人体の感知等の異常を感知した場合に、そのタイミングでカメラ装置１００が撮影した静止画像をメールＥに添付して送信するものである。ここで子機１０１は、子機８、９、５０、８７、８８と同じ構成を有しており（図３参照）、上記の構成以外については第２実施例と同じであるので重複する内容についての詳細な説明は省略する。また、ＣＭＯＳ画像センサー{又は、ＣＭＯＳイメージセンサー（シーモスイメージセンサー）}とは、ＣＭＯＳ（相補性金属酸化膜半導体）を用いた固体撮像素子のことである。さら前記人感センサーとは、後述する防犯センサーにおいて列挙したものに限られるものではない。
【００７１】
カメラ装置１００は、このカメラ装置１００の外郭より直出しによって設けられた例えば４芯ケーブル等の接続ケーブル１０２を備えており、この接続ケーブル１０２の先端に設けられた例えば６ピン構造のコネクター等の接続端子１０３を、接続端子１０３に対応する接続受部（図示せず）へ接続することにより、カメラ装置１００と子機１０１とを接続可能とする接続構造を有したものである。
【００７２】
また、カメラ装置１００は、一定時間の間隔で静止画像を撮影し、静止画像を親機７に備えた記憶手段（図示せず）に保存する画像記憶機能を備えてもよい。ここで、親機７に備えられるマイコン１１は、記憶手段に記憶された静止画像のデータを親機７に着脱可能な記録媒体への書き込みを行う画像データ書込手段を備えており、カメラ装置１００によって撮影された静止画像データを記録媒体に記録して持ち出し可能な構成となっている。また、前記記憶手段自体を親機７に着脱可能な記録媒体としても構わないものとする。ここで、親機７は、記録媒体のインタフェース（図示せず）を備えたものであり、親機７にインタフェースに接続した状態で装着されている着脱可能な記録媒体に、静止画像のデータを記録する。ここで、着脱可能な記録媒体としては、他の電子機器や携帯情報端末ＰＤＡ・携帯用ノートＰＣなどの携帯端末に装着可能な所謂、リムーバブルメディアが挙げられ、例えば、ＳＤカード（Ｓｅｃｕｒｅ  Ｄｉｇｉｔａｌ  Ｍｅｍｏｒｙ  Ｃａｒｄ）、コンパクトフラッシュ（登録商標）カード、スマートメディアカード、マルチメディアカード（ＭＭＣ：Ｍｕｌｔｉ  Ｍｅｄｉａ  Ｃａｒｄ）、メモリスティックカード、更には、ＰＣカードなど様々のカード型の半導体メモリカードやＵＳＢ送信方式のリムーバブルハードディスク等である。ここで記録媒体への書き込みは、記憶手段への記録と同期して行われるものでも、親機７側に備えたスイッチ等の操作手段（図示せず）からの操作によって適宜行われるものでもよく、特に限定されるものではない。
【００７３】
このように、建物５１への侵入者を、ＣＭＯＳ画像センサー又は人感センサーによって感知し、その状況をカメラ装置１００によって静止画像として撮影し、その画像データをカメラ装置１００が接続された子機１０１から電力線６を介して親機７へ監視信号として送信し、この監視信号を基に親機７が作成した建物５１への侵入者がある等の異常を知らせる旨の電子メールＥに静止画像のデータを添付して、操作者の制御端末５に宛てて送信するものである。この変形実施形態では、撮影レンズ（図示せず）を撮影対象（ここでは人体とする）の動作に追従させて動作させる追従撮影手段を備えたものとしてもよい。さらに、カメラ装置１００に備えられる人体を感知する各種センサーについても、ＣＭＯＳ画像センサーや人感センサーに限られたものではなく、各種センサー同士の組み合せも適宜変更可能である。
【００７４】
尚、本発明は上記各実施例に限定されるものではなく、上記各実施例の技術内容を適宜組み合せて実施しても構わないものとする。また子機８、９に接続される電子機器を高速ビデオカメラとしてもよい（図２０参照）。さらに機器１８は、子機８にプラグＰによって接続され、オン、オフ等の制御信号を赤外線として送信可能な赤外線送信手段を備えたリモコンと、リモコンからの赤外線としての制御信号を受信可能な赤外線受信手段を備えた例えばステレオ等の電子機器たる機器本体とを備えたものとし、一方機器１９は子機９にプラグＰによって直接接続されたテレビ等の電子機器としているが、機器１８、１９としての電子機器についてもステレオやテレビ等に限られたものではなく、適宜変更が可能である。また、上記各実施例上では、制御端末５に携帯電話を例に挙げて説明したが、携帯電話に替えて、ＰＣ、ＰＤＡ、カーナビ等の各種情報端末であっても構わないものとする。さらに、上記実施例では、機器１８、１９のオン、オフ制御について説明したが、検出レベル設定手段３８の設定値を越えた電流値を電流検出部３７が検出した場合、これを機器１８、１９の異常電流であると判断し、この機器１８、１９の異常電流についての監視信号を親機７は制御端末５に電子メールＥで送信して、この監視信号を受け、操作者は、制御端末５から機器１８、１９の電源をオフ制御をする制御信号を親機７に電子メールＥで送信して、機器１８、１９をオフ制御するものでもよい。また、子機８、９、５０、８７、８８、１０１ではリレー３６に替えてトライアック（半導体スイッチ素子）としてもよい。さらに、防犯センサーとしては、上記のマグネットセンサー５３や歪センサー５４に限らず、建物５１の窓部５２や扉部等の振動を検知して窓部５２や扉部等の異常を検出する振動センサーや、窓部５２や扉部等周辺の人体の赤外線を検出して窓部５２や扉部等からの侵入者を検出する赤外線センサー等としても構わないものとし、実際の防犯センサーの組合せは、上記第２実施例に記載のようなマグネットセンサー５３と歪センサー５４との組合せに限定されるものではなく、例えば歪センサー５４と振動センサーとの組合せのように、適宜変更が可能である。また、振動センサー及び赤外線センサー等の防犯センサーは、マグネットセンサー５３及び歪センサー５４と同様に、マグネット６１、リードスイッチ６２及び歪み検知手段６５に対応する検知手段と、制御手段６３、６６に対応する制御手段と、第１の無線送信手段６４及び第２の無線送信手段６７に対応する無線送信手段とを備えた構成とする。またマグネットセンサー５３、歪センサー５４及び受信装置５５の構成も図１５に示す構成に限られるものではなく、適宜変更可能である。さらに、防犯センサー５３、５４が建物５１の窓部５２や扉部等の開口部の異常を検出すると、別の子機に接続された高速ビデオカメラ等の撮影機器で異常が検出された窓部５２や扉部等を撮影し、その映像データを監視信号として、電子メールＥに添付するものとしても構わないものとする。また、親機７及び子機９、１０、５０、８７、８８、１０１の各ＰＬＣ制御回路１０、３１で採用される電力線搬送の変調方式としては、直交周波数分割多重{ＯＦＤＭ（Orthogonal  Frequency  Division  Multiplexing）}伝送方式（以下、ＯＦＤＭ伝送方式と呼称する）、スペクトラム拡散｛ＳＳ（Spread  Spectrum）｝変調方式（以下、ＳＳ変調方式と呼称する）等各種方式の何れでも構わないものとし、電力線６のノイズに応じて上記方式の中から最適な方式を選択可能とすることが好ましい。例えば、電力線６にノイズが少ない場合には、高速通信を可能とするＯＦＤＭ伝送方式を採用し、また電力線６にノイズが多い場合には、耐ノイズ性の高いＳＳ変調方式を採用することが好ましい。この場合、各ＰＬＣ制御回路１０、３１で採用される電力線搬送の変調方式を、高速通信を可能とするＯＦＤＭ伝送方式とした場合、電子機器たる機器１８、１９、５５、８０、８１、８２、８８、１００の制御信号や監視信号だけでなく、高速ビデオカメラ等からの映像データ等のような大容量のデータ通信の高速化を可能とし、また耐ノイズ性の高いＳＳ変調方式とした場合、電力線６上の制御信号や監視信号の伝送等の信頼性を確保することができる。また、第１の無線送信手段６４、第２の無線送信手段６７及び無線受信手段６８の通信規格は、上記のＩＥＥＥ８０２.１５.４に限られるものではなく、適宜変更可能である。さらに、接続ケーブル７０、９０の構成、及び、これら接続ケーブル７０、９０と子機８７、１０１との接続構造（例えば接続端子７１、９１）について上記実施例に限定されるものではなく、適宜変更が可能である。
【図面の簡単な説明】
【００７５】
【図１】本発明の第１実施例を示すホームコントロールシステムの全体図である。
【図２】同上、親機側のブロック図である。
【図３】同上、子機側のブロック図である。
【図４】同上、初期設定画面である。
【図５】同上、電力線搬送通信手段による機器の状態変化を表わす検知信号の送受信についてのフローチャート図である。
【図６】同上、イーサネット（Ethernet：登録商標）の初期設定についてフローチャート図である。
【図７】同上、親機で受信された機器の状態変化を表わす前記監視信号が、イーサネット（Ethernet：登録商標）及びインターネットを介して、携帯電話に通知されるまでの流れフローチャート図である。
【図８】同上、操作者が受信した機器の状態変化を示す内容の電子メールにおいて、電子メールＥの件名が表示された画面を示す図である。
【図９】同上、操作者が受信した機器の状態変化を示す内容の電子メールにおいて、電子メールの本文の画面を示す図である。
【図１０】同上、操作者の携帯電話５の操作の流れを示す図である。
【図１１】同上、図１０に引き続き、操作者の携帯電話の操作の流れを示す図である。
【図１２】同上、図１１に引き続き、操作者の携帯電話の操作の流れを示す図である。
【図１３】同上、操作者が携帯電話から制御信号として電子メールEを送信して、電力線搬送通信に接続された機器の操作の流れについてのフローチャート図である。
【図１４】本発明の第２実施例を示すホームコントロールシステムの全体図である。
【図１５】同上、マグネットセンサー、歪センサー及び受信装置の構成を示すブロック図である。
【図１６】同上、操作者が受信した機器の状態変化を示す内容の電子メールにおいて、電子メールの本文の画面を示す図である。
【図１７】同上、初期設定画面である。
【図１８】同上、本発明のホームセキュリティシステムの変形実施形態を示す全体図である。
【図１９】同上、図１８におけるリモコンの構成を示すブロック図である。
【図２０】同上、本発明のホームセキュリティシステムの別の変形実施形態を示す全体図である。
【符号の説明】
【００７６】
１  ホームセキュリティシステム
２  電力線搬送通信手段（ＰＬＣ）
３  ルーター（中継装置）
４  インターネット（外部ネットワーク）
５  携帯電話（制御端末）
６  電力線
７  親機
８、９、５０、８７、８８、１０１  子機
１１  マイコン（信号処理手段）
１８、１９、５５、８０、８１、８２、８８、１００  機器
２４  メーラー（電子メール作成手段）
２６Ｂ  定型文作成手段
３２  マイコン（制御手段）
３７  電流検出部（監視手段）
３９  ハブ（中継装置）
５１  建物
５２  窓部
５３  マグネットセンサー（検出手段）
５４  歪センサー（検出手段）
６４  第１の無線送信手段
６７  第２の無線送信手段
６８  無線受信手段
【図１】
2008295020.tif 000003
【図２】
2008295020.tif 000004
【図３】
2008295020.tif 000005
【図４】
2008295020.tif 000006
【図５】
2008295020.tif 000007
【図６】
2008295020.tif 000008
【図７】
2008295020.tif 000009
【図８】
2008295020.tif 000010
【図９】
2008295020.tif 000011
【図１０】
2008295020.tif 000012
【図１１】
2008295020.tif 000013
【図１２】
2008295020.tif 000014
【図１３】
2008295020.tif 000015
【図１４】
2008295020.tif 000016
【図１５】
2008295020.tif 000017
【図１６】
2008295020.tif 000018
【図１７】
2008295020.tif 000019
【図１８】
2008295020.tif 000020
【図１９】
2008295020.tif 000021
【図２０】
2008295020.tif 000022